(57)【要約】【課題】複数の記録媒体を有する記録媒体ユニットに対して情報の記録・再生を行う場合に、媒体判別等の媒体認識処理が完了して本来の情報記録・再生動作が開始可能になるまでにかかる時間を短縮した情報記録再生システムを提供する。【解決手段】光ディスク２１〜２５を有する光ディスクユニット１に光ディスク２１〜２５の媒体情報を一括して記憶したＩＣタグ４を設け、情報記録再生システム７は、ＩＣタグ４から媒体情報を読み取るＩＣタグリーダライタ８と、この読み取った媒体情報に従ってドライブ装置を動作させるコントローラ１１とを装備している。ＩＣタグ４には、光ディスク２１〜２５に共通する情報である共通媒体情報が記憶されており、コントローラ１１は、共通媒体情報に基づいて媒体認識処理を行う。【選択図】図２
2010020875.tif 000002
【特許請求の範囲】
【請求項１】
複数の情報媒体を格納してなる記録媒体ユニットにおいて、
前記複数の記録媒体とは別に情報を記憶する補助記憶部を備え、
この補助記憶部は、当該記録媒体ユニット内の複数の記録媒体に共通する情報である共通媒体情報を記憶したことを特徴とする記録媒体ユニット。
【請求項２】
前記請求項１に記載の記録媒体ユニットにおいて、
前記共通媒体情報は、当該記録媒体ユニット内の複数の記録媒体の種類を示す情報を含むことを特徴とする記録媒体ユニット。
【請求項３】
前記請求項１又は２に記載の記録媒体ユニットにおいて、
前記補助記憶部は、当該記録媒体ユニット内の複数の記録媒体それぞれに対する固有の媒体情報を固有媒体情報として記憶することを特徴とする記録媒体ユニット。
【請求項４】
前記請求項３に記載の記録媒体ユニットにおいて、
前記固有媒体情報は、当該記録媒体ユニット内の複数の記録媒体それぞれの管理番号と、この各記録媒体の情報記録・再生に関する特性を示す物理量情報とを含むことを特徴とする記録媒体ユニット。
【請求項５】
前記請求項１乃至４のいずれか一項に記載の情報媒体ユニットから取り出された記録媒体に対して情報の記録・再生を行うドライブ装置と、
前記記録媒体ユニットから記録媒体を取り出して前記ドライブ装置まで搬送する媒体搬送機構と、
前記情報媒体ユニットから記録媒体が取り出される前に前記記録媒体ユニットの補助記憶部から媒体情報を読み取る媒体情報読取手段と、
この読み取られた媒体情報に基づいて前記ドライブ装置の動作を制御するドライブ制御手段とを備えたことを特徴とする情報記録再生システム。
【請求項６】
前記請求項５に記載の情報記録再生システムにおいて、
前記ドライブ装置による前記記録媒体への情報記録・再生実行の後に、この記録・再生に関する記録媒体固有の情報を固有媒体情報として前記記録媒体ユニットの前記補助記憶部に記録・更新する媒体情報書込手段を備えたことを特徴とする情報記録再生システム。
【請求項７】
複数の記録媒体を収納してなる記録媒体ユニットに装備された補助記憶部から前記複数の記録媒体に共通する情報である共通媒体情報を媒体情報読取手段が読み取り、
前記記録媒体ユニットから前記記録媒体をドライブ装置に搬入し、
このドライブ装置が、前記媒体情報読取手段に読み取られた共通媒体情報に基づいて動作し前記記録媒体に情報の記録・再生を行うことを特徴とする情報記録再生方法。
【請求項８】
前記請求項７に記載の情報記録再生方法において、
前記ドライブ装置が前記共通媒体情報に基づいて動作するに際しては、
前記共通媒体情報に示された記録媒体の種類に対応して記録媒体搬入後直ちに動作することを特徴とする情報記録再生方法。
【請求項９】
前記請求項７又は８に記載の情報記録再生方法において
前記ドライブ装置が前記記録媒体に情報の記録・再生を行った後に、この記録・再生に関する媒体固有の情報を固有媒体情報として前記記録媒体ユニットの前記補助記憶部に書き込むことを特徴とする情報記録再生方法。
【請求項１０】
複数の記録媒体を有した記録媒体ユニットに装備された補助記憶部から読み出された媒体情報のうち前記記録媒体ユニット内の複数の記録媒体に共通する情報である共通媒体情報を入力する媒体情報入力機能と、
前記記録媒体ユニット内の記録媒体を個別に装填し情報の記録・再生を行うドライブ装置の動作を前記共通媒体情報に基づいて制御するドライブ制御機能とをコンピュータに実行させることを特徴とする情報記録再生用プログラム。
【請求項１１】
前記請求項１０に記載の情報記録再生用プログラムにおいて、
前記ドライブ制御機能は、前記共通媒体情報に含まれた媒体種類情報に基づいて前記記録媒体の種類を予め判別し、この判別結果に対応して記録媒体装填後直ちに動作するように前記ドライブ装置を制御する機能であることを特徴とする情報記録再生用プログラム。
【請求項１２】
前記請求項１０又は１１に記載の情報記録再生用プログラムにおいて、
前記ドライブ装置による前記記録媒体への情報の記録・再生実行後に、当該記録媒体の記録・再生に関する媒体固有の情報を前記記録媒体ユニットに装備された前記補助記憶部に書き込む媒体情報書込機能を前記コンピュータに実行させることを特徴とする情報記録再生用プログラム。
【発明の詳細な説明】
【技術分野】
【０００１】
本発明は、複数の記録媒体を収納してなる記録媒体ユニットと、この記録媒体ユニットに情報の記録・再生を行う情報記録再生システム、及びこのシステムによる情報記録再生方法，情報記録再生用プログラムに関する。
【背景技術】
【０００２】
情報処理技術の分野では、コンピュータの情報処理能力の向上に伴って、取り扱う情報量が爆発的に増加しており、１つの記録媒体で情報の全てを記録しきれない場合が多くなっており、このような場合は、例えば、情報を複数枚の光ディスクに分割して記録することになる。
【０００３】
しかし、このように複数の記録媒体に情報を分割して記録する場合、１つの記録媒体に対する記録あるいは再生が終了する度に、ドライブからの記録媒体の排出と挿入を繰り返さなくては成らないので、記録・再生に多大な労力と時間を費やしてしまう。
【０００４】
そこで、これを鑑みた技術として、１つのカートリッジ内に複数の記録媒体が格納された記録媒体ユニットと、この記録媒体ユニットを１つの記録媒体として情報の記録・再生を行う情報記録再生システムとが広く知られている。この記録媒体ユニットを用いた技術によって、大量の情報を効率よく記録・再生することができるようになった。
【０００５】
一方、通常の情報記録再生装置は、記録媒体に対して情報の記録・再生を行う前段階に、この記録媒体の媒体種別や特性といった媒体情報を取得して媒体判別を行っている。例えば、特許文献１乃至４に開示されているように、光ディスク装置では、光ディスクの特定の記憶領域にその光ディスクに関する情報を記録しておき、最初にその特定の記憶領域の情報を再生することで媒体情報を得ていた。また、特許文献５に開示された関連技術は、１つの磁気テープを収納したカートリッジに非接触な補助記憶媒体を備え、その補助記憶媒体に磁気テープに関する情報を記憶させておくことで、磁気テープからの情報読み取り時間の短縮を図っている。いずれの場合においても記録媒体に媒体情報を付加するといった構成をとっている。
【０００６】
しかし、これらを上述した記録媒体ユニットを用いた技術に適用した場合、記録媒体ユニット内の複数の記録媒体の個々に媒体情報が記録されていることになり、全ての記録媒体から媒体情報を読み取るまでにはかなりの時間がかってしまうという不都合があった。
【０００７】
この不都合を改善するための関連技術として、特許文献６に、複数枚の光ディスクについての履歴情報や固有情報を記録するＩＣタグを装備したマガジン（記録媒体ユニット）と、このマガジンのＩＣタグと交信して情報の読み書きをするリーダライタを装備しマガジンを装着した際に読み出したタグ情報に基づいてマガジン内の光ディスクに情報の記録又は再生を行うディスクチェンジャシステムが開示されている。
【０００８】
この特許文献６に開示された技術によれば、マガジン内の複数の光ディスクについての固有情報を、マガジンに収納された光ディスクを直接１枚ずつ読まなくても、ＩＣタグから読み書きできることになり、情報の記録又は再生をするために必要な調整時間を短縮することができる。
【０００９】
同様の技術として、特許文献７には、マガジンに収納された複数の記録媒体に関する管理情報を記録するＩＣカードをそのマガジンに併設し、このＩＣカードから読み出した管理情報に基づいて情報の記録再生動作を実行するオートチェンジャ装置が開示されている。
【００１０】
【特許文献１】再特ＷＯ２００４−２９９４３号公報
【特許文献２】特開２００４−１０３１６３号公報
【特許文献３】特開２００４−２９６０５０号公報
【特許文献４】特開２００７−４９７６号公報
【特許文献５】再特ＷＯ２０００−１７８８０号公報
【特許文献６】特開２００８−６５９２１号公報
【特許文献７】特開平８−１６７２７８号公報
【発明の開示】
【発明が解決しようとする課題】
【００１１】
しかしながら、特許文献６及び７に開示された技術では、マガジンに収納された記録媒体数分のレコードを有するテーブルデータをＩＣタグ（ＩＣカード）に記憶させていたが、これでは、光ディスクユニット（マガジン）に収納する光ディスクの枚数に比例して、ＩＣタグに記憶される媒体情報の情報量が増加する。例えば、１００枚の光ディスクを収納する光ディスクユニットでは、各光ディスクに対応して１００レコードの情報がＩＣタグに記憶されることになる。
【００１２】
ＩＣタグに記憶される媒体情報の情報量が増加すると、媒体認識にかかる時間が長くなり、記録媒体ユニットの装着から本来の情報記録・再生動作が開始可能になるまでにかかる時間が増大してしまうという不都合があった。
【００１３】
そこで、本発明は、上記関連技術の不都合を改善し、複数の記録媒体を有する記録媒体ユニットが情報記録再生システムに装着されてから本来の情報記録・再生が開始可能になるまでにかかる調整時間を短縮して利便性の向上を図った情報記録再生システム，情報記録再生方法及びプログラムを提供することを、その目的とする。
【課題を解決するための手段】
【００１４】
上記目的を達成するため、本発明の記録媒体ユニットは、複数の情報媒体を格納してなり、この複数の記録媒体とは別に情報を記憶する補助記憶部を備え、この補助記憶部は、当該記録媒体ユニット内の複数の記録媒体に共通する情報である共通媒体情報を記憶したことを特徴とする。
また、本発明の情報記録再生システムは、上述した情報媒体ユニットから取り出された記録媒体に対して情報の記録・再生を行うドライブ装置と、記録媒体ユニットから記録媒体を取り出してドライブ装置まで搬送する媒体搬送機構と、情報媒体ユニットから記録媒体が取り出される前に記録媒体ユニットの補助記憶部から媒体情報を読み取る媒体情報読取手段と、この読み取られた媒体情報に基づいてドライブ装置の動作を制御するドライブ制御手段とを備えたことを特徴とする。
【００１５】
また、本発明の情報記録再生方法は、複数の記録媒体を収納してなる記録媒体ユニットに装備された補助記憶部から前記複数の記録媒体に共通する情報である共通媒体情報を媒体情報読取手段が読み取り、記録媒体ユニットから記録媒体をドライブ装置に搬入し、このドライブ装置が、媒体情報読取手段に読み取られた共通媒体情報に基づいて動作して記録媒体に情報の記録・再生を行うことを特徴とする。
【００１６】
またさらに、本発明の情報記録再生用プログラムは、複数の記録媒体を有した記録媒体ユニットに装備された補助記憶部から読み出された媒体情報のうち前記記録媒体ユニット内の複数の記録媒体に共通する情報である共通媒体情報を入力する媒体情報入力機能と、記録媒体ユニット内の記録媒体を個別に装填し情報の記録・再生を行うドライブ装置の動作を前記共通媒体情報に基づいて制御するドライブ制御機能とをコンピュータに実行させることを特徴とする。
【発明の効果】
【００１７】
本発明は以上のように構成されるため、これにより、記録媒体ユニット内の複数の記録媒体に共通する媒体情報に関しては、共通媒体情報で予め確認することができ、記録媒体がドライブ装置に搬送される度に固有情報を検索する必要が無いので、その分、媒体認識処理の効率が上がり、記録媒体に対して情報の記録・再生を行うための調整時間が短縮され利便性が向上するという従来にない優れた情報記録再生システム，情報記録再生方法及びプログラムを提供することができる。
【発明を実施するための最良の形態】
【００１８】
以下、本発明における一実施形態を、図面を参照して説明する。
【００１９】
図１は、本実施形態における記録媒体ユニットとしての光ディスクユニット１の外観を示す斜視図である。また、図２は、本実施形態の情報記録再生システム７の全体構成を示す図である。
【００２０】
図１に示すように、本実施形態の光ディスクユニット１は、複数の記録媒体として光ディスク２１〜２５をケース５内に収納し、ケース５の正面に設けられた入出口３１，３２，３３，３４，３５から光ディスク２１〜２５を出し入れ可能とした構成となっている。この光ディスクユニット１は、ケース５の外壁面に補助記憶部としてＲＦＩＤ（Radio Frequency IDentification）のＩＣタグ４を備えている。
【００２１】
図２に示すように、本実施形態の情報記録再生システム７は、図１に示す光ディスクユニット１を交換可能に装着して情報の記録又は再生を行うシステムである。ここで、本実施形態では、光ディスクユニット１に格納された複数の光ディスク２１〜２５が５枚であるが、この光ディスクの枚数は５枚に限ったものではない。
【００２２】
情報記録再生システム７は、図２に示すように、光ディスクユニット１の外壁面に設けられたＩＣタグ４に対して媒体情報を読み書きするＩＣタグリーダライタ８と、光ディスク２１，２２，２３，２４，２５を個別に装填して情報の記録または再生を行うドライブ装置である光ディスクドライブ９１，９２，９３，９４，９５と、光ディスクユニット１から光ディスク２１，２２，２３，２４，２５を取り出して光ディスクドライブ９１，９２，９３，９４，９５へ搬送するディスク搬送機構１０と、システム全体の動作制御及び外部ＰＣ（Personal Computer）６との間の通信制御を行うコントローラ１１とから構成されている。コントローラ１１は、ＩＣタグリーダライタ８が読み取った媒体情報に基づいて光ディスクドライブ９１，９２，９３，９４，９５の動作を制御する機能を有している。
【００２３】
光ディスクユニット１に設けられたＩＣタグ４は、ＩＣチップとアンテナとを組み込んだ構成であり、ＩＣチップには、情報を繰り返し書き換えることができるメモリが搭載されている。本実施形態のＩＣタグ４は、光ディスクユニット１内の光ディスク媒体に関する媒体情報を一括してメモリに記憶している。
【００２４】
本実施形態では、通常の光ディスクのリードイン領域等に記録されていた媒体情報を、光ディスクユニット１内の光ディスク２１〜２５について一括してＩＣタグ４に記憶させておくことで、光ディスク２１〜２５それぞれに対して個別に媒体情報を読み書きする動作を省略でき、情報の記録又は再生をするための準備時間を短縮することができた。
【００２５】
図３は、光ディスクユニット１に備え付けられたＩＣタグ４に記憶された媒体情報の一例を示す説明図である。ＩＣタグ４に記憶された媒体情報には、図３（ａ）に示す共通媒体情報と、図３（ｂ）に示す固有媒体情報とが含まれている。
【００２６】
共通媒体情報は、光ディスクユニット１内の光ディスク２１〜２５に共通する情報であり、本実施形態では、図３（ａ）に示すように、光ディスクユニット１の管理番号（識別番号），光ディスク２１〜２５の種類，光ディスク２１〜２５の製造日時を共通媒体情報としている。
【００２７】
光ディスクユニット１の管理番号とは、光ディスクユニット１に対して予め与えられたオリジナルの番号である。光ディスク２１〜２５の種類とは、光ディスクユニット１に格納されている光ディスク２１〜２５の種類を示しており、光ディスク２１〜２５の記録層が１層構造なのか２層構造なのかといった記録層数の情報と追記型なのか繰り返し記録型なのかといった記録方式の情報とを示している。光ディスクの製造日時とは、光ディスク２１〜２５が製造された日時を示している。図３（ａ）において、光ディスク２１〜２５の種類として記録された「Ｒ−ＳＬ」とは、‘Ｒ’が追記型を示し‘ＳＬ’が１層構造であることを示している。
【００２８】
この共通媒体情報は、光ディスクユニット１を製造する時点で明らかになる情報なので、光ディスクユニット１の製造工程でＩＣタグ４に記録される。
【００２９】
固有媒体情報は、光ディスクユニット１内の光ディスク２１，２２，２３，２４，２５それぞれに対して個別に記録された情報であり、本実施形態では、図３（ｂ）に示すように、光ディスクの管理番号（識別番号）と、各記録媒体の情報記録・再生時の特性を示す物理量情報として記録再生パワー情報，サーボ調整情報，ディスク使用情報，再生性能情報とを対応付けて固有媒体情報としている。
【００３０】
記録再生パワー情報は、光ディスクドライブ９１，９２，９３，９４，９５が光ディスク２１，２２，２３，２４，２５に情報を再生記録する時に用いる再生光・記録光の光量が示されている。サーボ調整情報は、光ディスクドライブ９１，９２，９３，９４，９５で光ディスク２１，２２，２３，２４，２５に情報を記録再生するときの光ディスクと対物レンズとの相対的な位置・角度といったサーボ情報を示している。ディスク使用情報は、個々の光ディスク２１，２２，２３，２４，２５においてどの部分が使用されているのかといったアドレス情報である。再生性能情報は、個々の光ディスク２１，２２，２３，２４，２５において、その光ディスクの情報が以前に再生されたときの再生ＳＮＲ（Signal to Noise ratio）といった再生性能指標の情報を示している。
【００３１】
また、固有媒体情報は、光ディスク２１，２２，２３，２４，２５の個々に対して少なくとも１度は記録再生を行わないと既知とならない情報なので、初めて動作する光ディスクユニット１のＩＣタグ４には記録されておらず、光ディスク２１，２２，２３，２４，２５の各光ディスクに対し情報の記録再生が行われる度に、その光ディスクに対応する部分が記録更新される情報である。
【００３２】
このように、本実施形態の情報記録再生システムでは、光ディスクユニット１のＩＣタグ４に共通媒体情報を記憶させることで、光ディスクユニット１内の光ディスク２１〜２５に共通する情報に関しては固有情報から認識対象の光ディスクの情報を検索することなく、共通媒体情報で確認できるので、媒体認識処理の効率が向上する。
【００３３】
従来は、光ディスクユニット内の光ディスクが同一の種類であっても、光ディスク毎に記録された固有情報に媒体種類情報が含まれていたので、光ディスクドライブに光ディスクが搬送される毎に固有情報から対応する光ディスクの情報を検索してディスク種類判別を行わなければならなかったが、本実施形態の情報記録再生システムは、光ディスクユニット１内の光ディスク２１〜２５が同一の種類であれば、その光ディスクの種類情報を共通媒体情報としてＩＣタグ４に記憶させるので、媒体種類判別を効率的に行うことができる。
【００３４】
情報記録再生システム７に装備されたＩＣタグリーダライタ８は、ＩＣタグ４と近距離無線通信で交信し、ＩＣタグ４に記憶されている媒体情報を読み取る媒体情報読取手段としての機能と、ＩＣタグ４に固有媒体情報を書き込む媒体情報書込手段としての機能とを備えている。
【００３５】
光ディスクドライブ９１，９２，９３，９４，９５は、光ディスク２１〜２５を個別に装填して情報を読み書きするドライブ装置である。本実施形態の情報記録再生システム７は、複数の光ディスクドライブ９１〜９５を装備することで、複数の光ディスクに対し同時に情報の読み書きを行うことができるように構成している。
【００３６】
ディスク搬送機構１０は、光ディスクユニット１から光ディスク２１〜２５のうちの一枚を取り出して光ディスクドライブ９１〜９５のうちの１つへ搬送し、且つ光ディスクドライブ９１〜９５から光ディスクユニット１へ光ディスクを返却する。
【００３７】
コントローラ１１は、外部ＰＣ６からのデータ記録又は再生の指令に従って、光ディスクドライブ９１〜９５及びディスク搬送機構１０の動作を制御する機能と、ＩＣタグリーダライタ８からの媒体情報に基づいて光ディスクドライブ９１〜９５の動作を制御する機能とを備えている。
【００３８】
図４は、本実施形態におけるコントローラ１１の構成を示す機能ブロック図である。
【００３９】
本実施形態におけるコントローラ１１は、図４に示すように、ＩＣタグリーダライタ８がＩＣタグ４から読み取った媒体情報に基づいて光ディスクドライブ９１〜９５の動作を制御するドライブ制御手段１１ａと、外部ＰＣ６と光ディスクドライブ９１〜９５とを接続するインタフェース１１bと、外部ＰＣからの指令に対応して光ディスク２１〜２５のいずれかを光ディスクユニット１から光ディスクドライブ９１〜９５へ搬送するようにディスク搬送機構１０を制御する搬送機構制御手段１１ｃとを備えている。
【００４０】
ドライブ制御手段１１ａは、ＩＣタグリーダライタ８が読み取った媒体情報を入力してこの媒体情報に基づいて光ディスクドライブ９１，９２，９３，９４，９５の動作を制御する機能を備えている。例えば、ドライブ制御手段１１ａは、共通媒体情報に含まれる光ディスクの種類情報に基づいて光ディスク２１〜２５の種類を予め判別し、判別結果に従って動作するように光ディスクドライブ９１〜９５を制御する。さらに、ドライブ制御手段１１ａは、固有媒体情報に示されたレーザ光パワーとサーボ調整情報とに従ってサーボを開始するように光ディスクドライブ９１〜９５を制御する。
【００４１】
また、ドライブ制御手段１１ａは、光ディスクドライブ９１〜９５が光ディスク２１〜２５に情報の記録・再生を行う度に、新規の固有媒体情報を観測し、その新規の固有媒体情報をＩＣタグリーダライタ８に送ってＩＣタグ４に記録更新させる機能を備えている。具体的には、光ディスクドライブ９１〜９５が光ディスク２１〜２５に情報の記録・再生を行った後に、その記録再生に係る光パワー，サーボ調整情報．ディスク使用情報，再生性能といった新規の固有媒体情報を光ディスクドライブ９１〜９５もしくは外部ＰＣ６から取得してＩＣタグリーダライタ８に送る。
【００４２】
このように本実施形態の情報記録再生システム７によれば、光ディスクユニット１内の光ディスク２１〜２５を直接１枚ずつ読まなくても、光ディスクユニット１のケース５の外面に設置されたＩＣタグ４から光ディスクユニット１内の光ディスク２１〜２５に関する媒体情報を一括して読み書きすることができる。よって、複数の光ディスク２１〜２５それぞれから直接媒体情報を読み書きするよりも、光ディスク媒体の記録・再生をするために必要な調整時間を短縮することができる。
【００４３】
また、ＩＣタグ４には、光ディスクユニット１内の光ディスク２１〜２５に共通する情報である共通媒体情報が記憶されているので、情報記録再生システム７側は、この共通媒体情報を確認すれば、この共通の情報に関していちいち固有情報を検索する必要が無くなり、その分、媒体認識処理の効率が向上し、光ディスクユニット１に対して本来の記録・再生が開始可能になるまでの調整時間がより短縮される。
【００４４】
さらに、共通媒体情報は、光ディスクユニット１に格納される光ディスクの枚数が増加しても、情報量が変わらないので、本実施形態のように共通媒体情報を用いると、光ディスクユニット１内の光ディスク数を増やして大容量化しても、タグ情報の増加量は従来に比べて少なくて済み、媒体認識処理の負担が軽減される。
【００４５】
次に、本実施形態の情報記録再生システム７の動作について説明する。ここで、以下の動作説明は、本発明の情報記録再生方法の実施形態となる。
【００４６】
図５は、光ディスクユニット１が情報記録再生システム７に装着されてから情報の記録又は再生を行うまでの情報記録再生システム７の動作を示すフローチャートである。まず、情報記録再生システム７に光ディスクユニット１を装着すると（図５のステップＳ１）、ＩＣタグリーダライタ８が、光ディスクユニット１の外壁面に設けられたＩＣタグ４から媒体情報を読み取る（図５のステップＳ２）。
【００４７】
そして、コントローラ１１のドライブ制御手段１１ａが、ＩＣタグリーダライタ８から媒体情報を入力し、共通媒体情報に含まれる光ディスクの種類情報から光ディスクユニット１に格納されている光ディスク２１〜２５が１層構造なのか２層構造なのか、また追記型なのか繰り返し記録型なのかを予め判別する。
【００４８】
続いて、ドライブ制御手段１１ａが、ＩＣタグリーダライタ８に読み取られた媒体情報に固有媒体情報が含まれているか否かを判定し（図５のステップＳ３）、固有媒体情報が含まれていれば、その固有媒体情報を入力後に（図５のステップＳ４）、ディスク搬送機構１０が、光ディスク２１〜２５のいずれかを光ディスクドライブ９１〜９５のいずれかへ搬送し（図５のステップＳ５）、ドライブ制御手段１１ａが、共通媒体情報と固有媒体情報とに基づいて光ディスクドライブ９１〜９５の動作を制御し、光ディスクドライブ９１〜９５が、ドライブ制御手段１１ａにより予め判別された光ディスク媒体の種類に対応して光ディスク２１〜２５に情報の記録又は再生を行う（図５のステップＳ８）。
【００４９】
一方、媒体情報に固有媒体情報が含まれていなかった場合には、まず、ディスク搬送機構１０が光ディスク２１〜２５のいずれかを光ディスクドライブ９１〜９５のいずれかへ搬送し（図５のステップＳ６）、光ディスクドライブ９１〜９５が、光ディスク２１〜２５に情報の記録再生を行う前に記録再生光パワーなどの調整値を固有媒体情報として特定し（図５のステップＳ７）、その特定された固有媒体情報に従って情報の記録再生を行う（図５ステップＳ８）。
【００５０】
図６は、光ディスクドライブ９１〜９５のいずれかで情報の記録再生を行った光ディスクを光ディスクユニット１内に搬送するまでの情報記録再生システム７の動作を示すフローチャートである。
【００５１】
光ディスクユニット１を情報記録再生システム７から排出する時は、先ず、光ディスクドライブ９１〜９５から光ディスク２１〜２５を取り出す（図６のステップＳ９）。
【００５２】
取り出された光ディスク２１〜２５をディスク搬送機構１０が光ディスクユニット１まで搬送する（図６のステップＳ１０）。続いて、コントローラ１１のドライブ制御手段１１ａが、光ディスクユニット１のＩＣタグ４に固有媒体情報が記憶されていたか否かを判断し（図６のステップＳ１１）、記録されていなかった場合には、記録再生時に光ディスクドライブ９１〜９５もしくは外部ＰＣ６で測定された固有媒体情報を取得してＩＣタグリーダライタ８へ送ってＩＣタグ４に新規に書き込ませてから（図６のステップＳ１３）、光ディスクユニット１を排出する（図６のステップＳ１４）。
【００５３】
一方、ＩＣタグ４に固有媒体情報が記憶されていた場合は、コントローラ１１のドライブ制御手段１１ａが、ＩＣタグリーダライタ８を介して、ＩＣタグ４に記憶されていた固有媒体情報を今回の記録再生時に特定された固有媒体情報の内容に更新する（図６のステップＳ１２）。
【００５４】
このように動作することで、次回、同一の光ディスクユニット１を使用する場合に、ＩＣタグ４に書き込んだ最新の固有媒体情報を利用することができる。
【００５５】
ここで、上述したドライブ制御手段１１ａ，搬送機構制御手段１１ｃについては、その機能内容をプログラム化してコンピュータに実行させるように構成してもよい。
【００５６】
また、上述したＲＦＩＤのＩＣタグ４については、光ディスクユニット１内の光ディスク２１〜２５に関する媒体情報を一括して記憶できればこれに限らず、接触型のＩＣや磁気ストライプ，バーコード等であってもよい。
【００５７】
このように本実施形態の情報記録再生システム７によれば、光ディスクユニット１のＩＣタグ４から光ディスク２１〜２５の媒体情報を読み取ることができ、光ディスク２１〜２５から個別に媒体情報を読み書きする必要がなくなるので、光ディスクユニット１のＩＣタグ４に格納されている光ディスク２１〜２５に関する媒体情報を効率よく取り扱うことで、記録媒体の記録再生をするために必要な調整時間を短縮することができることを確認できた。
【００５８】
また、ＩＣタグ４に共通媒体情報が記憶されているので、光ディスクユニット１内の光ディスク２１〜２５に共通する情報に関しては共通媒体情報を確認すれば、各記録媒体に対応付けられた固有情報から検索して確認する必要が無いので、認識処理の効率が向上し、記録媒体に本来の情報記録・再生をするために必要な調整時間をより短縮することができる。
【００５９】
共通媒体情報は、光ディスクユニット１に格納される光ディスクの枚数が増えても、情報量が変わらないので、本実施形態のように共通媒体情報を用いれば、光ディスクユニット１を大容量化しても、ＩＣタグ４に記憶される媒体情報の増加量は従来に比べて少なくて済み、媒体認識処理の負担が軽減される。
【００６０】
ここで、本実施形態は、複数の光ディスクを有する光ディスクユニット１に対して情報の記録・再生を行うような構成であるが、これに限定されることなく、磁気テープや磁気ディスク等の可換記憶媒体を複数格納してなる記録媒体ユニットを用いるシステムに対して適用することも可能である。
【００６１】
本実施形態では、光ディスクユニット１に格納されている複数の光ディスク２１，２２，２３，２４，２５は全て同じ種類のディスクとしてディスクの種類情報を共通媒体情報としたが、異なる種類のディスクの組み合わせからなる光ディスクユニットの場合は固有媒体情報の中に複数の光ディスク２１〜２５に対してそれぞれのディスクの種類情報を持たせてやればよい。
【００６２】
また、本実施形態では、光ディスクユニット１に格納されている複数の光ディスク２１〜２５は全て同じ製造日時のディスクとして製造日時情報を共通媒体情報としたが、異なる製造日時のディスクの組み合わせからなる光ディスクユニットの場合は固有媒体情報の中に複数の光ディスク２１〜２５に対してそれぞれのディスクの製造日時を持たせてやればよい。
【図面の簡単な説明】
【００６３】
【図１】本発明にかかる一実施形態の光ディスクユニットの外観を示す斜視図である。
【図２】本発明にかかる一実施形態の情報記録再生システムの構成を示す図である。
【図３】図１に開示した実施形態の光ディスクユニットに付されたＩＣタグに記憶された媒体情報を示す図である。
【図４】図２に開示した実施形態における情報記録再生システムに搭載されたコントローラの構成を示す機能ブロック図である。
【図５】図２に開示した実施形態の情報記録再生システムの動作の一例を示すフローチャートである。
【図６】図２に開示した実施形態の情報記録再生システムの他の動作の一例を示すフローチャートである。
【符号の説明】
【００６４】
１  光ディスクユニット（記録媒体ユニット）
４  ＩＣタグ（補助記憶部）
５  ケース
６  外部ＰＣ
７  情報記録再生システム
８  ＩＣタグリーダライタ（媒体情報読取／書込手段）
１０  ディスク搬送機構
１１  コントローラ
１１ａ  ドライブ制御手段
１１ｂ  インタフェース
１１ｃ  搬送機構制御手段
２１〜２５  光ディスク（記録媒体）
３１〜３５  入出口
９１〜９５  光ディスクドライブ（ドライブ装置）
【図１】
2010020875.tif 000003
【図２】
2010020875.tif 000004
【図３】
2010020875.tif 000005
【図４】
2010020875.tif 000006
【図５】
2010020875.tif 000007
【図６】
2010020875.tif 000008